(57)【要約】【課題】外部配線を着脱可能なコネクタを備える蓄電装置であって、安全性が高い蓄電装置を提供すること。【解決手段】蓄電装置１０は、蓄電素子２０と、蓄電素子２０と電気的に接続される第一配線６５ａと、第一配線６５ａを保持するハーネスプレート５０と、第一配線６５ａと接続された第一コネクタ８５であって、ハーネスプレート５０の中央部に位置し、かつ、外部配線を着脱可能な第一コネクタ８５とを備える。【選択図】図３
2018156933.tif 000002
【特許請求の範囲】
【請求項１】
蓄電素子と、
前記蓄電素子と電気的に接続される第一配線と、
前記第一配線を保持する配線保持部材と、
前記第一配線と接続された第一コネクタであって、前記配線保持部材の中央部に位置し、かつ、外部配線を着脱可能な第一コネクタと、
を備える蓄電装置。
【請求項２】
さらに、前記第一配線よりも低い電圧用の配線である第二配線であって、前記配線保持部材に保持される第二配線と、
前記第二配線に接続され、前記配線保持部材の端部に位置する第二コネクタと、
を備える請求項１記載の蓄電装置。
【請求項３】
前記配線保持部材は、前記第一配線及び前記第二配線を、第一領域内において、前記蓄電素子及び前記配線保持部材の並び方向と交差する方向に並んだ位置に規制する規制部を有する、
請求項２記載の蓄電装置。
【請求項４】
さらに、前記配線保持部材を前記蓄電素子とは反対側から覆うカバー部材を備え、
前記カバー部材には、前記第一領域に対向する位置に、他の部分よりも前記配線保持部材に近い外面を形成する低面部が形成されている、
請求項３記載の蓄電装置。
【請求項５】
前記第一配線および前記第二配線は、前記第一コネクタの開口側の第二領域を迂回して配置されている、
請求項２〜４のいずれか１項に記載の蓄電装置。
【請求項６】
前記配線保持部材は、前記第二領域の周縁の少なくとも一部に沿って立設された壁部を有する、
請求項５記載の蓄電装置。
【発明の詳細な説明】
【技術分野】
【０００１】
本発明は、蓄電素子、及び、蓄電素子と電気的に接続される配線を保持する配線保持部材を備える蓄電装置に関する。
【背景技術】
【０００２】
従来、例えば、１以上の蓄電素子を備える蓄電装置の状態を監視する監視装置が存在する。例えば特許文献１には、バッテリと電気的に接続される高圧側コネクタ、及び、上位のマイクロコントローラと接続される低圧側コネクタを備える電池監視装置が開示されている。この電池監視装置では、平面視において、筐体の互いに対向する辺に高圧側コネクタ及び低圧側コネクタが配置されている。
【先行技術文献】
【特許文献】
【０００３】
【特許文献１】特開２０１６−１１５６４７号公報
【発明の概要】
【発明が解決しようとする課題】
【０００４】
例えば上記の電池監視装置等の外部装置に接続される蓄電装置にも、外部配線と接続するためのコネクタが設けられる。このコネクタは、蓄電装置と外部装置との間の電気的な接続点であるため、蓄電装置が、例えば、電気自動車（ＥＶ）等の移動体の駆動用または始動用として移動体に搭載される場合において、衝撃等から保護するための工夫が必要である。特に、蓄電装置が有する蓄電素子と電気的に接続されたコネクタについては、高い安全性が要求される。
【０００５】
そのため、蓄電素子と電気的に接続されたコネクタを、例えば、上記従来の電池監視装置のように、筐体（蓄電装置の外装体）の端部に配置した場合、コネクタが衝撃を受けやすいという問題が生じ得る。
【０００６】
本発明は、本願発明者らが上記課題に新たに着目することによってなされたものであり、外部配線を着脱可能なコネクタを備える蓄電装置であって、安全性が高い蓄電装置を提供することを目的とする。
【課題を解決するための手段】
【０００７】
上記目的を達成するために、本発明の一態様に係る蓄電装置は、蓄電素子と、前記蓄電素子と電気的に接続される第一配線と、前記第一配線を保持する配線保持部材と、前記第一配線と接続された第一コネクタであって、前記配線保持部材の中央部に位置し、かつ、外部配線を着脱可能な第一コネクタと、を備える。
【０００８】
この構成によれば、蓄電素子と電気的に接続された第一配線が、配線保持部材に保持された状態で、蓄電装置に備えられる。そのため、例えば、蓄電装置の製造（組み立て）時において、第一配線を配線保持部材に保持させた状態で、蓄電装置に組み込むことができる。これにより、例えば、第一配線の部材間の挟み込み等が生じ難い。また、例えば、第一配線の移動の自由度が高い場合と比較すると、第一配線の断線等の不具合の発生可能性が低減される。さらに、第一コネクタが、配線保持部材の中央部に位置していることで、例えば蓄電装置が搭載された移動体が衝突事故を起こした場合などにおいて、蓄電素子と通電状態にある第一コネクタの損傷可能性が低減される。つまり、第一コネクタが損傷することによる外部短絡等の不安全事象の発生が抑制される。このように、本態様に係る蓄電装置は、外部配線を着脱可能なコネクタを備え、安全性が高い蓄電装置である。
【０００９】
また、本発明の一態様に係る蓄電装置はさらに、前記第一配線よりも低い電圧用の配線である第二配線であって、前記配線保持部材に保持される第二配線と、前記第二配線に接続され、前記配線保持部材の端部に位置する第二コネクタとを備える、としてもよい。
【００１０】
この構成によれば、上述のように、例えば衝突事故等の発生時における、高電圧用の第一コネクタの損傷の可能性が低減された蓄電装置において、配線保持部材の端部にある、低電圧用の第二コネクタへの外部配線の着脱の容易さが確保される。
【００１１】
ここで、蓄電装置を搭載した移動体が物体と衝突したこと、または、コネクタに対する外部配線の着脱が無理に行われることなどに起因して、コネクタに過大な外力がかけられた場合、コネクタには損傷が生じ得る。コネクタに損傷が生じた場合、蓄電装置の状態確認が正しく行えない、または外部短絡の発生など安全上の問題が生じ得る。
【００１２】
そこで、本態様に係る蓄電装置では、比較的に高い電圧がかかる第一コネクタについては、衝突事故等の非常時における損傷可能性を低減させ、かつ、比較的に低い電圧がかかる第二コネクタについては、外部配線の着脱時（外部配線の取り付け時及び取り外し時の少なくとも一方）における損傷可能性を低減させている。これにより、安全性の高い蓄電装置が得られる。
【００１３】
また、本発明の一態様に係る蓄電装置において、前記配線保持部材は、前記第一配線及び前記第二配線を、第一領域内において、前記蓄電素子及び前記配線保持部材の並び方向と交差する方向に並んだ位置に規制する規制部を有する、としてもよい。
【００１４】
この構成によれば、例えば配線保持部材が蓄電素子の上に配置された場合、少なくとも第一領域内において、第一配線及び第二配線のそれぞれが上下に重ならないため、上下方向のサイズの増加が抑制される。また、配線保持部材を覆うカバー等が配置された場合において、カバーから押圧されることによる第一配線または第二配線の断線の可能性が低減される。
【００１５】
また、本発明の一態様に係る蓄電装置はさらに、前記配線保持部材を前記蓄電素子とは反対側から覆うカバー部材を備え、前記カバー部材には、前記第一領域に対向する位置に、他の部分よりも前記配線保持部材に近い外面を形成する低面部が形成されている、してもよい。
【００１６】
この構成によれば、カバー部材において、例えば凹んだ部分である低面部により形成される空間を利用して、外部配線を配置すること、または、制御基板等の電気機器を配置することができる。つまり、蓄電装置の安全性を確保しつつ、蓄電装置の周辺の空間の有効利用が図られる。
【００１７】
また、本発明の一態様に係る蓄電装置において、前記第一配線および前記第二配線は、前記第一コネクタの開口側の第二領域を迂回して配置されている、としてもよい。
【００１８】
この構成によれば、配線保持部材の中央部に配置された第一コネクタについても外部配線の着脱のしやすさが確保される。そのため、第一コネクタに対する外部配線の着脱時における第一コネクタの損傷の可能性が低減される。
【００１９】
また、本発明の一態様に係る蓄電装置において、前記配線保持部材は、前記第二領域の周縁の少なくとも一部に沿って立設された壁部を有する、としてもよい。
【００２０】
この構成によれば、壁部があることで、配線保持部材への第一配線及び第二配線の配置時、または、配置後において、第一配線及び第二配線を、強制的に第二領域の外に位置させることができる。そのため、例えば、第一コネクタに対する外部配線の着脱のしやすさがより確実化される。
【００２１】
なお、本発明は、蓄電装置として実現することができるだけでなく、当該蓄電装置が備える配線保持部材としても実現することができる。
【発明の効果】
【００２２】
本発明によれば、外部配線を着脱可能なコネクタを備える蓄電装置であって、安全性が高い蓄電装置を提供することできる。
【図面の簡単な説明】
【００２３】
【図１】実施の形態に係る蓄電装置の外観を示す斜視図である。
【図２】実施の形態に係る蓄電装置を分解した場合の各構成要素を示す第１の分解斜視図である。
【図３】実施の形態に係る蓄電装置を分解した場合の各構成要素を示す第２の分解斜視図である。
【図４Ａ】実施の形態に係る第一配線のレイアウトを示す平面図である。
【図４Ｂ】実施の形態に係る第二配線のレイアウトを示す平面図である。
【図５】実施の形態に係るハーネスプレートの一部を拡大して示す斜視図である。
【図６】実施の形態に係る電池パックの第１の構成例を示す平面図である。
【図７】実施の形態に係る電池パックの第２の構成例を示す平面図である。
【図８】実施の形態の変形例に係る蓄電装置の蓋体まわりの構成を示す断面図である。
【図９】実施の形態の変形例に係る蓄電装置の構成を示す平面図である。
【発明を実施するための形態】
【００２４】
以下、図面を参照しながら、本発明の実施の形態に係る蓄電装置について説明する。なお、以下で説明する実施の形態は、包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００２５】
また、以下の説明及び図面中において、１つの蓄電素子における電極端子の並び方向、蓄電素子の容器の短側面の対向方向、または、蓄電装置の外装体の長側面の対向方向をＸ軸方向と定義する。また、複数の蓄電素子の並び方向、蓄電素子の容器の長側面の対向方向、当該容器の厚さ方向、または、蓄電装置の外装体の短側面の対向方向をＹ軸方向と定義する。また、蓄電装置の外装体本体と蓄電素子と中蓋とハーネスプレートと蓋体との並び方向、蓄電素子の容器本体と蓋体との並び方向、または、上下方向をＺ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸方向プラス側とは、Ｘ軸の矢印方向側を示し、Ｘ軸方向マイナス側とは、Ｘ軸方向プラス側とは反対側を示す。Ｙ軸方向及びＺ軸方向についても同様である。
【００２６】
（実施の形態）
まず、実施の形態に係る蓄電装置１０の構成について説明する。図１は、実施の形態に係る蓄電装置１０の外観を示す斜視図である。図２は、実施の形態に係る蓄電装置１０を分解した場合の各構成要素を示す第１の分解斜視図である。図３は、実施の形態に係る蓄電装置１０を分解した場合の各構成要素を示す第２の分解斜視図である。なお、図３では、ハーネスプレート５０と、ハーネスプレート５０に固定される部材等との関係を明確に図示するために、外装体１１及び中蓋３０の図示は省略している。
【００２７】
蓄電装置１０は、外部からの電気を充電し、また外部へ電気を放電することができる装置である。例えば、蓄電装置１０は、電力貯蔵用途や電源用途などに使用される電池モジュールである。具体的には、蓄電装置１０は、例えば、電気自動車（ＥＶ）、ハイブリッド電気自動車（ＨＥＶ）またはプラグインハイブリッド電気自動車（ＰＨＥＶ）等の自動車、自動二輪車、ウォータークラフト、スノーモービル、農業機械、建設機械などの移動体の駆動用またはエンジン始動用のバッテリ等として用いられる。
【００２８】
図１及び図２に示すように、蓄電装置１０は、蓋体１００及び外装体本体２００からなる外装体１１と、外装体１１内方に収容される複数の蓄電素子２０、中蓋３０、複数のバスバー４０、ハーネスプレート５０及び内部配線６５等とを備えている。
【００２９】
外装体１１は、蓄電装置１０の外装体を構成する矩形状（箱状）の容器（モジュールケース）である。つまり、外装体１１は、蓄電素子２０及びハーネスプレート５０等の外方に配置され、これら蓄電素子２０等を所定の位置に配置し、衝撃などから保護する。また、外装体１１は、例えば、ポリカーボネート（ＰＣ）、ポリプロピレン（ＰＰ）、ポリエチレン（ＰＥ）、ポリフェニレンサルファイド樹脂（ＰＰＳ）、ポリブチレンテレフタレート（ＰＢＴ）またはＡＢＳ樹脂等の絶縁材料により構成されている。外装体１１は、これにより、蓄電素子２０等が金属部材などに接触することを回避する。
【００３０】
外装体１１は、外装体１１の蓋体（外蓋）を構成する扁平な矩形状の蓋体１００と、外装体１１の本体を構成する外装体本体２００とを有している。蓋体１００は、ハーネスプレート５０を蓄電素子２０とは反対側から覆うカバー部材の一例である。外装体本体２００は、開口が形成された有底矩形筒状のハウジングである。つまり、外装体本体２００の開口を塞ぐように、蓋体１００が配置される。なお、蓋体１００及び外装体本体２００は、同じ材質の部材で形成されていてもよいし、異なる材質の部材で形成されていてもかまわない。
【００３１】
また、蓋体１００の中央部には、矩形状の貫通孔である開口部１００ａが形成され、蓋体１００のＸ軸方向プラス側かつＹ軸方向両側の角部には、矩形状の切欠きである開口部１００ｂが形成されている。蓋体１００にはさらに、蓋体１００のＸ軸方向中央かつＹ軸方向マイナス側に、矩形状の切欠きである開口部１００ｃが形成されている。また、蓋体１００には、他の部分よりもハーネスプレート５０に近い外面を形成する低面部１０５が形成されている。
【００３２】
蓄電素子２０は、電気を充電し、また、電気を放電することのできる二次電池（単電池）であり、より具体的には、リチウムイオン二次電池などの非水電解質二次電池である。蓄電素子２０は、扁平な直方体形状（角型）の形状を有しており、本実施の形態では、８個の蓄電素子２０（蓄電素子２０Ａ〜２０Ｈ）がＹ軸方向に配列されている。なお、蓄電素子２０の形状や、配列される蓄電素子２０の個数は限定されない。また、蓄電素子２０は、非水電解質二次電池には限定されず、非水電解質二次電池以外の二次電池であってもよいし、キャパシタであってもよく、さらに、使用者が充電をしなくても蓄えられている電気を使用できる一次電池であってもよい。
【００３３】
具体的には、蓄電素子２０は、金属製の容器２１を備え、容器２１の蓋部分には、金属製の電極端子である正極端子２２及び負極端子２３が設けられている。なお、容器２１の蓋部分には、電解液を注液する注液部、及び、容器２１内の圧力上昇時にガスを排出して圧力を開放するガス排出弁等が設けられていてもよい。また、容器２１の内方には、電極体（蓄電要素または発電要素ともいう）及び集電体（正極集電体及び負極集電体）等が配置され、電解液（非水電解質）などが封入されているが、詳細な説明は省略する。
【００３４】
本実施の形態において、正極端子２２及び負極端子２３は、容器２１の蓋部分から、蓋体１００に向けて（上方、つまりＺ軸方向プラス側に向けて）突出して配置された、ネジ山が形成されたボルト部を有するボルト端子である。そして、複数の蓄電素子２０の最も外側の電極端子である蓄電素子２０Ａの負極端子２３と蓄電素子２０Ｈの正極端子２２とが、蓋体１００のＸ軸方向プラス側かつＹ軸方向両側の角部に形成された開口部１００ｂから、露出して配置される。この最も外側の電極端子が外部端子（図示せず）に接続される、または、この最も外側の電極端子が外部端子として機能することにより、蓄電装置１０が、外部からの電気を充電し、また外部へ電気を放電することができる。
【００３５】
中蓋３０は、外装体１１の中蓋を構成する扁平な矩形状の部材であり、外装体本体２００の補強を行う機能を有している。また、中蓋３０は、ハーネスプレート５０と蓄電素子２０との間に配置され、ハーネスプレート５０を下方から保持するとともに、蓄電素子２０を上方から保持する。中蓋３０は、例えば、ＰＣ、ＰＰ、ＰＥ、ＰＰＳ、ＰＢＴまたはＡＢＳ樹脂等の絶縁材料により構成されている。また、中蓋３０のＸ軸方向プラス側かつＹ軸方向両側の角部には、開口部３１が形成されている。この開口部３１には、後述のサーミスタ６３及び検出端子８０が配置される。
【００３６】
バスバー４０は、複数の蓄電素子２０上（中蓋３０上）に配置され、複数の蓄電素子２０の電極端子同士を電気的に接続する矩形状の板状部材である。バスバー４０は、例えば、銅、銅合金、アルミニウム、アルミニウム合金等の金属製の導電部材で形成されている。具体的には、バスバー４０には貫通孔が形成されており、当該貫通孔に蓄電素子２０の電極端子のボルト部が挿入されて、当該ボルト部にナット９０（図３参照）が締結されることで、バスバー４０と電極端子とが接続される。本実施の形態では、バスバー４０により、隣り合う２つの蓄電素子２０の一方の正極端子２２と他方の負極端子２３とが接続されている。これにより８個の蓄電素子２０は直列に接続されている。なお、蓄電素子２０の接続の態様は上記には限定されず、直列接続及び並列接続がどのように組み合わされていてもよい。
【００３７】
また、本実施の形態では、複数のバスバー４０のそれぞれには、電圧検出用の端子である検出端子８０が接触して配置される。具体的には、バスバー４０の上面に検出端子８０が配置され、かつ、ナット９０によって、バスバー４０と検出端子８０とが共締めされる。つまり、バスバー４０を、蓄電素子２０の電極端子に固定するナット９０により、検出端子８０がバスバー４０と接触した状態で固定される。
【００３８】
また、上述の通り、複数の蓄電素子２０の最も外側の電極端子である蓄電素子２０Ａの負極端子２３及び蓄電素子２０Ｈの正極端子２２のそれぞれに配置された検出端子８０にはサーミスタ６３が配置されている。つまり、本実施の形態において直列に接続された蓄電素子２０Ａ〜２０Ｈからなる蓄電素子ユニットの総プラス端子である蓄電素子２０Ｈの正極端子２２、及び、当該蓄電素子ユニットの総マイナス端子である蓄電素子２０Ａの負極端子２３それぞれの温度が、サーミスタ６３によって計測される。
【００３９】
ハーネスプレート５０は、配線保持部材の一例であり、内部配線６５、第一コネクタ８５及び第二コネクタ８６等の電装部品が配置される扁平な矩形状の部材である。ハーネスプレート５０は、蓄電素子２０と蓋体１００との間に配置されている。
【００４０】
ハーネスプレート５０は、例えば、ＰＣ、ＰＰ、ＰＥ、ＰＰＳ、ＰＢＴまたはＡＢＳ樹脂等の絶縁材料により構成されている。つまり、ハーネスプレート５０は、中蓋３０上に載置されて、内部配線６５、第一コネクタ８５及び第二コネクタ８６等を保持し、当該内部配線６５等と他の部材との絶縁、及び、当該内部配線６５等の位置規制等を行う。
【００４１】
内部配線６５は、蓄電素子２０の各電極端子と第一コネクタ８５とを電気的に接続する第一配線６５ａ、及び、２つのサーミスタ６３と第二コネクタ８６とを電気的に接続する第二配線６５ｂを有し、ハーネスプレート５０に取り付けられている。内部配線６５は、例えば、ハーネスプレート５０に設けられた爪状の部位である第一規制部５１に引っ掛けられることでハーネスプレート５０に保持されている。内部配線６５のハーネスプレート５０への取付構造の詳細については図５を用いて後述する。
【００４２】
なお、本実施の形態において、第一コネクタ８５は接続口８５ａ内に複数のピンを有するコネクタであり、第二コネクタ８６は接続口８６ａ内に複数のピンを有するコネクタである。つまり、第一コネクタ８５の接続口８５ａ及び第二コネクタ８６の接続口８６ａのそれぞれには、外部配線の端部に設けられた、複数のピン穴を有するコネクタが挿入される。
【００４３】
また、第一コネクタ８５は、後端部がハーネスプレート５０の第一コネクタ支持部５５ａに支持された状態で、ハーネスプレート５０に取り付けられている。第二コネクタ８６は、後端部がハーネスプレート５０の第二コネクタ支持部５５ｂに支持された状態で、ハーネスプレート５０に取り付けられている。第一コネクタ８５及び第二コネクタ８６のそれぞれは、接続口（８５ａまたは８５ｂ）と反対側の後端部がコネクタ支持部（５５ａまたは５５ｂ）に支持されていることで、浮き上がりが抑制されている。
【００４４】
これら第一配線６５ａ及び第二配線６５ｂについて、図３に加え、図４Ａ及び図４Ｂを用いて説明する。図４Ａは、実施の形態に係る第一配線６５ａのレイアウトを示す平面図であり、図４Ｂは、実施の形態に係る第二配線６５ｂのレイアウトを示す平面図である。なお、第一配線６５ａ及び第二配線６５ｂのレイアウトを視認しやすいように、図４Ａでは、第一配線６５ａ上に破線が付されており、図４Ｂでは、第二配線６５ｂ上に破線が付されている。また、検出端子８０及びサーミスタ６３の位置を視認しやすいように、図４Ａにおいて、検出端子８０には斜線が付されており、図４Ｂにおいて、サーミスタ６３にはドットが付されている。
【００４５】
第一配線６５ａは、複数の蓄電素子２０のそれぞれと電気的に接続される、比較的に高い電圧用の配線である。具体的には、第一配線６５ａは、図３及び図４Ａに示すように、９つの検出端子８０（８０ａ〜８０ｉ）と、第一コネクタ８５とを接続する配線である。第二配線６５ｂは、図３及び図４Ｂに示すように、２つのサーミスタ６３と、第二コネクタ８６とを接続する配線である。つまり、第二配線６５ｂは、温度検出用の電流が流れる配線であり、すなわち、第一配線６５ａよりも低い電圧用の配線である。
【００４６】
図４Ａ及び図４Ｂに示すように、第一コネクタ８５は、ハーネスプレート５０の中央部に配置されており、第二コネクタ８６は、ハーネスプレート５０の端部に配置されている。第一コネクタ８５及び第二コネクタ８６のそれぞれには外部配線が着脱自在に接続される。例えば、蓄電装置１０を制御する制御装置は、第一コネクタ８５、第二コネクタ８６、及び、これらコネクタのそれぞれに接続された外部配線を介して、蓄電装置１０の各蓄電素子２０の電圧及び蓄電装置１０の温度を計測することができる。
【００４７】
本実施の形態において、９つの検出端子８０のうち、最も外側の２つの検出端子８０である、検出端子８０ａ及び８０ｉのそれぞれは、蓄電素子２０の電極端子と接続される。具体的には、検出端子８０ａは、蓄電素子２０Ａの負極端子２３に接続され、検出端子８０ｉは、蓄電素子２０Ｈの正極端子２２に接続されている。なお、検出端子８０ａ及び検出端子８０ｉのそれぞれは、図３等に図示しないナットによって電極端子に固定される。
【００４８】
また、検出端子８０ｂ〜８０ｈのそれぞれは、図３及び図４Ａに示すように、バスバー４０に接続されている。具体的には、検出端子８０ｂ〜８０ｈのそれぞれは、上述のようにナット９０によって、１つのバスバー４０に接触した状態で固定されている。１つのバスバー４０は、隣り合う２つの蓄電素子２０の一方の正極端子２２と他方の負極端子２３とに接続されている。つまり、検出端子８０ｂ〜８０ｈのそれぞれは、対応する２つの蓄電素子２０の一方の正極端子２２と他方の負極端子２３とに電気的に接続されている。例えば、検出端子８０ｂは、蓄電素子２０Ａの正極端子２２と、蓄電素子２０Ｂの負極端子２３とに電気的に接続されている。
【００４９】
上記構成により、第一コネクタ８５に接続された制御装置は、２つの検出端子８０の間の電位差を計測することで、例えば１つの蓄電素子２０の電圧を計測することができる。例えば、検出端子８０ｂと検出端子８０ｃとの電位差を計測することで、蓄電素子２０Ｂの電圧が計測される。
【００５０】
なお、第一配線６５ａは、各蓄電素子２０の電圧を均一化するための配線として用いることも可能である。例えば、第一コネクタ８５に接続された制御装置は、蓄電素子２０Ｂの電圧が他の蓄電素子２０の電圧よりも高い場合、検出端子８０ｂと検出端子８０ｃとを放電用の回路（バランス回路）を介して接続することで、蓄電素子２０Ｂを放電させることができる。これにより、蓄電素子２０Ｂの電圧が低下される。つまり、複数の蓄電素子２０の電圧の均一化が図られる。
【００５１】
また、図４Ｂに示すように、検出端子８０ａ及び検出端子８０ｉのそれぞれにはサーミスタ６３が取り付けられており、２つのサーミスタ６３は、第二配線６５ｂを介して第二コネクタ８６と接続されている。具体的には、２つのサーミスタ６３のそれぞれには、第二配線６５ｂとして一対の電線が接続されている。第二コネクタ８６に接続された制御装置は、これら一対の電線を介してサーミスタ６３の抵抗値を計測することで、そのサーミスタ６３と熱的に接続された蓄電装置１０の温度を測定することができる。
【００５２】
以上説明したように、本実施の形態に係る蓄電装置１０は、蓄電素子２０と、蓄電素子２０と電気的に接続される第一配線６５ａと、第一配線６５ａを保持するハーネスプレート５０と、第一配線６５ａと接続された第一コネクタ８５であって、ハーネスプレート５０の中央部に位置し、かつ、外部配線を着脱可能な第一コネクタ８５とを備える。
【００５３】
この構成によれば、蓄電素子２０と電気的に接続された第一配線６５ａが、ハーネスプレート５０に保持された状態で、蓄電装置１０に備えられる。そのため、例えば、蓄電装置１０の製造（組み立て）時において、第一配線６５ａをハーネスプレート５０に保持させた状態で、蓄電装置１０に組み込むことができる。これにより、例えば、第一配線６５ａの部材間の挟み込み等が生じ難い。また、例えば、第一配線６５ａの移動の自由度が高い場合と比較すると、第一配線６５ａの断線、または、第一配線６５ａと検出端子８０との接続部分の切断等の不具合の発生可能性が低減される。さらに、第一コネクタ８５が、ハーネスプレート５０の中央部に位置していることで、例えば蓄電装置１０が搭載された移動体が衝突事故を起こした場合などにおいて、蓄電素子２０と通電状態にある第一コネクタ８５の損傷可能性が低減される。つまり、第一コネクタ８５が損傷することによる外部短絡等の不安全事象の発生が抑制される。
【００５４】
ここで、蓄電装置１０がＥＶまたはＰＨＥＶ等の自動車において、ハーネスプレート５０が複数の蓄電素子２０の上に位置する姿勢、つまり、本実施の形態におけるＺ軸方向プラス側が上方となる姿勢で配置される場合を想定する。この場合、例えば走行中の自動車が物体に衝突した際、蓄電装置１０には、主に側方（ＸＹ平面に平行な方向）から衝撃が加えられる。この条件下において、平面視（ハーネスプレート５０と複数の蓄電素子２０との並び方向から見た場合）においてハーネスプレート５０の中央部に位置する第一コネクタ８５の側方には、ハーネスプレート５０の一部が必ず存在する。そのため、例えば、ハーネスプレート５０の一部であって、第一コネクタ８５の周囲に位置する部分が、衝撃を吸収する緩衝部材として機能する。その結果、第一コネクタ８５に与えられる衝撃が抑制される。つまり、第一コネクタ８５は、ハーネスプレート５０において、衝突事故等に起因する衝撃を受け難い位置に配置されている、と言える。
【００５５】
このように、本実施の形態に係る蓄電装置１０は、外部配線を着脱可能な第一コネクタ８５を備え、安全性が高い蓄電装置１０である。
【００５６】
なお、本実施の形態では、例えば、図１に示すように、ハーネスプレート５０を覆う蓋体１００の中央部に開口部１００ａが設けられている。そのため、ハーネスプレート５０の上方に蓋体１００が配置された場合であっても、第一コネクタ８５の接続口８５ａ（外部配線の端部が挿抜される開口）は、開口部１００ａから露出する。従って、第一コネクタ８５に対する外部配線の取り付け及び取り外しは可能である。
【００５７】
また、本実施の形態では、ハーネスプレート５０は、複数（本実施の形態では８つ）の蓄電素子２０それぞれの正極端子２２及び負極端子２３の間に配置されている。つまり、蓄電素子２０の容器２１から突出して設けられた正極端子２２及び負極端子２３の間の空間を利用して、ハーネスプレート５０が配置されている。
【００５８】
すなわち、ハーネスプレート５０は、例えば正極端子２２及び負極端子２３の並び方向（Ｘ軸方向）において、蓄電装置１０の中央部に位置している。そのため、例えば、蓄電装置１０に対してＸ軸方向の側方から衝撃が与えられた場合に、その衝撃がハーネスプレート５０に与える影響が低減される。その結果、例えば当該衝撃に対する第一コネクタ８５の保護がより確実化される。
【００５９】
なお、本実施の形態では、ハーネスプレート５０の、複数の蓄電素子２０の並び方向（Ｙ軸方向）における長さは、複数の蓄電素子２０から構成される蓄電素子ユニットのＹ軸方向の幅とほぼ同じである（例えば図４Ａ参照）。従って、平面視において、第一コネクタ８５は、蓄電装置１０の中央部に位置し、かつ、第二コネクタ８６は、蓄電装置１０の端部に位置する、ということもできる。
【００６０】
また、本実施の形態に係る蓄電装置１０は、第一配線６５ａよりも低い電圧用の配線である第二配線６５ｂであって、ハーネスプレート５０に保持される第二配線６５ｂと、第二配線６５ｂに接続され、ハーネスプレート５０の端部に位置する第二コネクタ８６とを備える。
【００６１】
この構成によれば、上述のように、例えば衝突事故等の発生時における、高電圧用の第一コネクタ８５の損傷の可能性が低減された蓄電装置１０において、ハーネスプレート５０の端部にある、低電圧用の第二コネクタ８６への外部配線の着脱の容易さが確保される。
【００６２】
ここで、蓄電装置１０を搭載した移動体が物体と衝突したこと、または、コネクタに対する外部配線の着脱が無理に行われることなどに起因して、コネクタに過大な外力がかけられた場合、コネクタには損傷が生じ得る。コネクタに損傷が生じた場合、蓄電装置１０の状態確認が正しく行えない、または外部短絡の発生など安全上の問題が生じ得る。
【００６３】
そこで、本態様に係る蓄電装置１０では、比較的に高い電圧がかかる第一コネクタ８５については、衝突事故等の非常時における損傷の可能性を低減させている。さらに、比較的に低い電圧がかかる第二コネクタ８６については、外部配線の着脱のしやすさを確保することで、外部配線の着脱時における第二コネクタ８６の損傷可能性を低減させている。これにより、安全性の高い蓄電装置が得られる。
【００６４】
また、本実施の形態に係るハーネスプレート５０は、複雑になりがちな内部配線６５の位置を規制するための構造を有している。この構造について、上述の図４Ａ及び図４Ｂ等に加え、図５を用いて説明する。
【００６５】
図５は、実施の形態に係るハーネスプレート５０の一部を拡大して示す斜視図である。具体的には、図５では、ハーネスプレート５０の、第一コネクタ８５の前方（接続口８５ａ側）の部分を拡大して示している。
【００６６】
図５に示すように、本実施の形態に係るハーネスプレート５０は、第一配線６５ａ及び第二配線６５ｂを、第一領域５６ａ（図４Ａ及び図４Ｂ参照）内において、蓄電素子２０及びハーネスプレート５０の並び方向（Ｚ軸方向）と交差する方向に並んだ位置に規制する規制部（５１、５２）を有する。
【００６７】
具体的には、本実施の形態に係る規制部として、爪状の部位である第一規制部５１と、突起状の部位である第二規制部５２とがハーネスプレート５０に設けられている。複数の第一規制部５１のそれぞれは、第一配線６５ａまたは第二配線６５ｂを引っ掛けて保持する。また、複数の第二規制部５２のうちの一組の第二規制部５２は、第一配線６５ａまたは第二配線６５ｂを挟んで保持する。第一配線６５ａ及び第二配線６５ｂのそれぞれは、第一規制部５１及び第二規制部５２の少なくとも一方によって、ハーネスプレート５０の上面（内部配線６５のは一面）に沿った方向（ＸＹ平面に沿った方向）に並んだ位置に規制されている。これにより、ハーネスプレート５０の第一領域５６ａにおいて、第一配線６５ａ同士で上下に重ならず、第二配線６５ｂ同士で上下に重ならず、かつ、第一配線６５ａと第二配線６５ｂとで上下に重ならない。
【００６８】
このように、本実施の形態に係るハーネスプレート５０によれば、少なくとも第一領域５６ａ内において、第一配線６５ａ及び第二配線６５ｂのそれぞれが上下に重ならないため、上下方向のサイズの増加が抑制される。具体的には、本実施の形態に係るハーネスプレート５０によれば、複数の蓄電素子２０と蓋体１００との間の空間を利用し、かつ、当該空間を無駄に消費しない態様で、第一配線６５ａ及び第二配線６５ｂを保持することができる。より詳細には、上述のように、ハーネスプレート５０は、正極端子２２及び負極端子２３の間の空間に配置されている。そのため、蓄電装置１０内にハーネスプレート５０が存在することによる蓄電装置１０のサイズの増加が抑制される。
【００６９】
また、蓋体１００（図１及び図２参照）が、ハーネスプレート５０の上方に配置された場合であっても、蓋体１００から押圧されることによる第一配線６５ａまたは第二配線６５ｂの断線の可能性が低減される。このことは、蓄電装置１０の安全性の向上に寄与する。
【００７０】
なお、本実施の形態では、第一規制部５１及び第二規制部５２の高さ（ハーネスプレート５０における内部配線６５の配置面５０ａからの高さ）は同一（略同一を含む）である。また、第一領域５６ａに対向する、蓋体１００の低面部１０５は、第一規制部５１及び第二規制部５２に当接する程度の高さ位置に存在する。そのため、第一規制部５１及び第二規制部５２は、蓋体１００（低面部１０５）が、第一配線６５ａ及び第二配線６５ｂを押圧しないための支えとしても機能する。
【００７１】
また、本実施の形態において、第一配線６５ａ及び第二配線６５ｂのそれぞれ（より詳細には、第一配線６５ａ及び第二配線６５ｂを構成する複数の電線のそれぞれ）は、両端部の間の部分（被覆部分）が、ハーネスプレート５０の規制部（第一規制部５１及び第二規制部５２の少なくとも一方）に保持されている。そのため、可撓性を有する第一配線６５ａ及び第二配線６５ｂのそれぞれの、外装体１１の内部における姿勢または位置を安定的に維持することができる。
【００７２】
また、図４Ａ、図４Ｂ及び図５に示されるように、本実施の形態に係るハーネスプレート５０において、第一配線６５ａおよび第二配線６５ｂは、第一コネクタ８５の開口（接続口８５ａ）側の第二領域５６ｂを迂回して配置されている。
【００７３】
第二領域５６ｂは、平面視における第一コネクタ８５の側方の領域であって、接続口８５ａが設けられた側の領域である。例えば、接続口８５ａに挿入される、外部配線の端部に設けられたコネクタのサイズ及び形状等によって、第二領域５６ｂのサイズ及び形状が決定される。
【００７４】
この構成によれば、例えば、ハーネスプレート５０の中央部に配置された第一コネクタ８５についても外部配線の着脱のしやすさが確保される。そのため、例えば、第一コネクタ８５に対する外部配線の着脱時における第一コネクタ８５の損傷の可能性が低減される。つまり、例えば第一コネクタ８５の接続口８５ａの前方にスペースがないために、接続口８５ａに対して斜め方向から外部配線を挿入するような、第一コネクタ８５に不要なストレスを与える作業が行われる可能性が低減される。
【００７５】
また、本実施の形態では、第一コネクタ８５の接続口８５ａは、ハーネスプレート５０における、内部配線６５の配置面５０ａに沿った方向に向けて開口している。つまり、第一コネクタ８５の接続口８５ａに外部配線を挿入した場合における、外部配線の第一コネクタ８５からの突出方向は、配置面５０ａに沿った方向である。従って、例えば、外部配線を蓄電装置１０から突出させない姿勢で、第一コネクタ８５に接続することができる。これにより、例えば、外部配線に外力が与えられることによる外部配線または第一コネクタ８５の損傷の可能性を低減することができる。
【００７６】
また、ハーネスプレート５０は、第二領域５６ｂの周縁の少なくとも一部に沿って立設された壁部５４を有している。このように、ハーネスプレート５０に壁部５４があることで、ハーネスプレート５０への第一配線６５ａ及び第二配線６５ｂの配置時、または、配置後において、第一配線６５ａ及び第二配線６５ｂを、強制的に第二領域５６ｂの外に位置させることができる。そのため、例えば、第一コネクタ８５に対する外部配線の着脱のしやすさがより確実化される。従って、第一コネクタ８５に対する外部配線の着脱時における第一コネクタ８５の損傷の可能性がより低減される。
【００７７】
なお、本実施の形態では、壁部５４は、ハーネスプレート５０において第二領域５６ｂを囲むように配置されている。これにより、第一配線６５ａ及び第二配線６５ｂを、第二領域５６ｂから実質的に完全に排除できる。また、例えば、作業員が、蓋体１００の配置後において第一コネクタ８５に対して外部配線を着脱する際に、作業員の指が第一配線６５ａまたは第二配線６５ｂに触れることが防止される。つまり、第一コネクタ８５に対する外部配線の着脱時における安全性が向上される。
【００７８】
ここで、本実施の形態に係る蓄電装置１０を複数組み合わせることで、１つの電池パックを構成することも可能である。そこで、図６及び図７を用いて、本実施の形態に係る電池パック１について説明する。
【００７９】
図６は、実施の形態に係る電池パック１の第１の構成例を示す平面図であり、図７は、実施の形態に係る電池パック１の第２の構成例を示す平面図である。なお、図７では、外部配線は、太線によって模式的に表されている。
【００８０】
本実施の形態に係る蓄電装置１０が備える蓋体１００には、上述のように、他の部分よりもハーネスプレート５０に近い外面を形成する低面部１０５が形成されている。この低面部１０５は、ハーネスプレート５０の第一領域５６ａ（図４Ａ及び図４Ｂ参照）に対向する位置に存在する。
【００８１】
すなわち、図５を用いて説明したように、第一領域５６ａでは、第一配線６５ａ及び第二配線６５ｂが上下方向に重ならないように配置されており、そのため、第一領域５６ａに対向する位置に低面部１０５を形成することが可能である。
【００８２】
本実施の形態では、低面部１０５は、蓋体１００において、凸部１０１及び凸部１０２の間に存在する凹んだ部分として設けられており、この凹んだ部分を利用して、図６に示すように、外部配線を配置することができる。
【００８３】
具体的には、図６に示す電池パック１は、３つの蓄電装置１０である第一蓄電装置１０Ａ、第二蓄電装置１０Ｂ及び第三蓄電装置１０Ｃと、３つの導電部材１２である第一導電部材１２Ａ、第二導電部材１２Ｂ及び第三導電部材１２Ｃとを備えている。第一導電部材１２Ａは、第一蓄電装置１０Ａに接続される外部配線（外部ハーネス）である。同様に、第二導電部材１２Ｂ及び第三導電部材１２Ｃは、第二蓄電装置１０Ｂ及び第三蓄電装置１０Ｃに接続される外部配線（外部ハーネス）である。
【００８４】
第一導電部材１２Ａは、第一蓄電装置１０Ａの第一コネクタ８５に接続され、第二導電部材１２Ｂは、第二蓄電装置１０Ｂの第一コネクタ８５に接続され、第三導電部材１２Ｃは、第三蓄電装置１０Ｃの第一コネクタ８５に接続される。この際、第一導電部材１２Ａは、第一蓄電装置１０Ａの低面部１０５に配置され、第二導電部材１２Ｂは、第一蓄電装置１０Ａの低面部１０５及び第二蓄電装置１０Ｂの低面部１０５に配置される。同様に、第三導電部材１２Ｃは、第一蓄電装置１０Ａの低面部１０５、第二蓄電装置１０Ｂの低面部１０５及び第三蓄電装置１０Ｃの低面部１０５に配置される。
【００８５】
なお、それぞれの蓄電装置１０には、例えば、導電部材１２を覆うハーネスカバー２１０（図６では破線で外形が図示されている）が配置される。このハーネスカバー２１０によって、例えば、凸部１０１と凸部１０２との間が面一で接続される。
【００８６】
このように、本実施の形態に係る蓄電装置１０を、各蓄電装置１０の低面部１０５が並ぶように配置した場合、これら蓄電装置１０の低面部１０５によって、１以上の外部配線の通路が形成される。この通路に１以上の外部配線を配置することで、高さ方向（Ｚ軸方向）のサイズを増加させずに電池パック１を構成することができる。
【００８７】
また、電池パック１が備える複数の蓄電装置１０のそれぞれの第一コネクタ８５は、平面視において、電池パック１の端部よりも内側に位置するため、仮に、電池パック１を搭載した移動体が衝突事故等を起こした場合であっても、第一コネクタ８５の損傷は生じ難い。
【００８８】
また、このように、複数の蓄電装置１０をＸ軸方向に並べて構成される蓄電装置列を、Ｙ軸方向に並べた場合、図７に示すように、これら蓄電装置列を近接させて配置することができる。
【００８９】
具体的には、本実施の形態に係る蓄電装置１０では、平面視において、中央部に第一コネクタ８５が配置され、端部に第二コネクタ８６が配置されている。そのため、例えば２つの蓄電装置１０を、第一コネクタ８５と第二コネクタ８６との並び方向（Ｙ軸方向）に並べる場合、２つの蓄電装置１０それぞれの第二コネクタ８６が逆向きになるように配置する。
【００９０】
つまり、図７に示すように、第一蓄電装置１０Ａ及び第二蓄電装置１０Ｂを含む蓄電装置列と、第四蓄電装置１０Ｄ及び第五蓄電装置１０Ｅを含む蓄電装置列とを並べる場合、各蓄電装置列における第二コネクタ８６が外側を向くように、２つの蓄電装置列を並べる。これにより、２つの蓄電装置列を近接して配置することができ、かつ、第二コネクタ８６への外部配線（導電部材１３）の着脱の容易さも確保される。
【００９１】
なお、電池パック１が備える蓄電装置１０の個数に特に限定はない。例えば、電池パック１が搭載される移動体の仕様等に応じて蓄電装置１０の個数が決定されてもよい。また、図６及び図７には図示していないが、電池パック１は、電池パック１が有する複数の蓄電装置１０を収容する筐体を備えてもよい。
【００９２】
（変形例）
次に、上記実施の形態の変形例について、説明する。上記実施の形態では、蓄電素子２０の電極端子はボルト部を有するボルト端子であり、当該ボルト部がバスバー４０の貫通孔に挿入されて当該ボルト部にナットが締結されることで、蓄電素子２０の電極端子とバスバー４０とが接続されることとした。しかし、本変形例では、蓄電素子の電極端子は、ボルト部を有しておらず、溶接にてバスバーと接続（接合）される溶接端子である。
【００９３】
図８は、本実施の形態の変形例に係る蓄電装置の蓋体３００まわりの構成を示す断面図である。また、図９は、本実施の形態の変形例に係る蓄電装置の構成を示す平面図である。図８及び図９に示すように、本変形例における蓄電素子２０（同図では、蓄電素子２０Ｉ〜２０Ｋ）は、上記実施の形態における蓄電素子２０の正極端子２２及び負極端子２３に代えて、正極端子２４及び負極端子２５を有している。また、本変形例におけるバスバー４２は、端子接続部４２ａと中間部４２ｂとを有している。
【００９４】
正極端子２４及び負極端子２５は、バスバー４２と溶接によって接続（接合）される溶接端子である。具体的には、正極端子２４及び負極端子２５は、バスバー４２の端子接続部４２ａと溶接によって接合される。例えば、蓄電素子２０Ｉの正極端子２４が、バスバー４２のうちの一方の端子接続部４２ａと溶接接合され、蓄電素子２０Ｊの負極端子２５が、バスバー４２のうちの他方の端子接続部４２ａと溶接接合される。
【００９５】
つまり、端子接続部４２ａは、バスバー４２のうちの、蓄電素子２０の電極端子と接続される部位であり、１つのバスバー４２に対して、異なる２つの蓄電素子２０の電極端子と接続される２つの端子接続部４２ａが配置されている。また、中間部４２ｂは、２つの端子接続部４２ａの間に配置される部位である。なお、中間部４２ｂは、バスバー４２がＹ軸方向およびＺ軸方向に伸縮可能なように設けられた湾曲部分（ヒンジ部）であり、２つの端子接続部４２ａからＺ軸方向プラス側に突出して設けられている。
【００９６】
また、本変形例における蓋体３００は、上記実施の形態における蓋体１００の、複数のボルト端子を収容するために形成された凹凸構造に代えて、凸部３１０及び凹部３２０を有している。つまり、凸部３１０は、バスバー４２に対向して配置される外面が突出した凸部であり、凹部３２０は、凸部３１０に隣接して配置される外面が凹んだ凹部である。
【００９７】
ここで、凸部３１０は、蓄電素子２０の電極端子（同図では、蓄電素子２０Ｉ〜２０Ｋの正極端子２４及び負極端子２５）に対向して配置される第一凸部３１１を有している。つまり、第一凸部３１１は、バスバー４２の端子接続部４２ａに対向して配置されている。具体的には、第一凸部３１１は、蓄電素子２０の電極端子及び端子接続部４２ａの上方（Ｚ軸方向プラス側）を覆うように配置されており、上面視で（Ｚ軸方向から見て）、当該電極端子及び端子接続部４２ａに対応した形状（同図では、矩形状）を有している。また、第一凸部３１１は、後述する凹部３２０の第一凹部３２１や第二凹部３２２よりも突出して配置されている。
【００９８】
また、凸部３１０は、バスバー４２の中間部４２ｂに対向して配置される第二凸部３１２を有している。具体的には、第二凸部３１２は、中間部４２ｂの上方（Ｚ軸方向プラス側）を覆うように配置されており、上面視で（Ｚ軸方向から見て）、中間部４２ｂに対応した形状（同図では、矩形状）を有している。また、第二凸部３１２は、第一凸部３１１よりも突出して形成されている。
【００９９】
凹部３２０は、異なる２つの蓄電素子２０の電極端子（例えば、蓄電素子２０Ｊの負極端子２５及び蓄電素子２０Ｋの正極端子２４）に対向して配置される２つの第一凸部３１１の間に配置される第一凹部３２１を有している。具体的には、第一凹部３２１は、隣り合う２つのバスバー４２の間において、蓄電素子２０の容器２１の蓋部分に対向して配置されており、上面視で（Ｚ軸方向から見て）、当該２つのバスバー４２の間の空間に対応した形状（同図では、矩形状）を有している。
【０１００】
また、凹部３２０は、同一の蓄電素子２０の２つの電極端子（例えば、蓄電素子２０Ｉの正極端子２４及び負極端子２５）に対向して配置される２つの第一凸部３１１の間に配置される第二凹部３２２を有している。
【０１０１】
さらに、凹部３２０は、２つの端子接続部４２ａのうちの少なくとも１つの端子接続部４２ａに対向して配置される、第二凸部３１２よりも凹んだ第三凹部３２３を有している。本変形例では、第三凹部３２３は、上述の第一凸部３１１である。つまり、第一凸部３１１は、第一凹部３２１や第二凹部３２２に対しては凸部であるが、第二凸部３１２に対しては凹部であるため、第三凹部３２３と言い換えることもできる。
【０１０２】
以上のような構成において、図６で説明したように、導電部材１２は、凹部３２０に配置される。つまり、導電部材１２は、第一凹部３２１、第二凹部３２２及び第三凹部３２３のいずれかの凹部に配置される。
【０１０３】
ここで、例えば、Ｘ軸方向に導電部材１２を延設して配置する場合（図６における第二導電部材１２Ｂや第三導電部材１２Ｃのような場合）には、導電部材１２を第一凹部３２１に配置してＸ軸方向に延設すれば、導電部材１２が第二凸部３１２と干渉してしまう。
【０１０４】
具体的には、蓄電素子２０Ｊの負極端子２５と蓄電素子２０Ｋの正極端子２４との間に対向して配置される第一凹部３２１および第二凹部３２２によって形成された溝形状の部分に、導電部材１２を配置することは可能である。しかし、隣接する蓄電装置１０に亘って、Ｘ軸方向に向けて真っ直ぐに延設して配置される導電部材１２（図６における第二導電部材１２Ｂや第三導電部材１２Ｃ）については、蓄電素子２０Ｊの正極端子２４と蓄電素子２０Ｋの負極端子２５との間に対向して配置される第二凸部３１２と導電部材１２とが、Ｚ軸方向に重なるように配置されることになるため、ユニット全体の高さ方向の寸法が大きくなってしまう。
【０１０５】
このような場合には、導電部材１２をＸ軸方向両側の第三凹部３２３（及び第二凹部３２２）に配置することで、Ｘ軸方向に平行に導電部材１２を配置することができる。また、図６に示したように、導電部材１２を第一コネクタ８５に接続する場合には、導電部材１２を第一凹部３２１にも配置することができる。例えば、図６における第一導電部材１２Ａについては、第一凹部３２１にも問題なく配置できる。
【０１０６】
図６における第二導電部材１２Ｂや第三導電部材１２Ｃについては、上述したＺ軸方向の干渉の課題に対する他の解決方法として、例えば、第二凹部３２２または隣接する蓄電装置１０の間において導電部材１２を屈曲させて、第二凸部３１２を回避して第一凹部３２１に導電部材１２を配置することが可能である。
【０１０７】
なお、本変形例におけるその他の構成については、上記実施の形態と同様であるため、詳細な説明は省略する。
【０１０８】
以上、本発明の実施の形態に係る蓄電装置１０及び電池パック１について説明したが、本発明は、上記実施の形態に限定されるものではない。つまり、今回開示された実施の形態は全ての点で例示であって制限的なものではないと考えられるべきである。本発明の範囲は上記した説明ではなく特許請求の範囲によって示され、特許請求の範囲と均等の意味及び範囲内での全ての変更が含まれることが意図される。
【０１０９】
例えば、上記実施の形態では、蓄電装置１０に、配線保持部材としてハーネスプレート５０が備えられるとしたが、配線保持部材は、一般に「プレート」として認識される部材である必要はない。例えば、内部配線６５、第一コネクタ８５及び第二コネクタ８６を保持するフレーム構造の部材であってもよい。
【０１１０】
また、第二配線６５ｂを介して第二コネクタ８６と電気的に接続される部材は、サーミスタ６３である必要はない。例えば、蓄電素子２０からの液漏れを検出する漏液センサなど、第二配線６５ｂを介して印加される電圧が、蓄電装置１０の定格電圧よりも小さな電気部品であって、サーミスタ６３とは異なる電気部品が第二配線６５ｂに接続されていてもよい。また、第二配線６５ｂとしての１以上の電線で接続された電気機器であって、当該１以上の電線及び第二コネクタ８６を介して、外部の制御装置に、蓄電装置１０の状態を示す信号を送信する電気機器が当該１以上の電線に接続されていてもよい。
【０１１１】
また、蓄電装置１０が備える、第二配線６５ｂを介して第二コネクタ８６と電気的に接続されるサーミスタ等の部材の個数は、「２」に限定されない。当該部材の個数は１以上であればよい。また、互いに異なる種類の部材（例えば、サーミスタ及び漏液センサのそれぞれ）が、第二配線６５ｂを介して第二コネクタ８６と電気的に接続されてもよい。
【０１１２】
また、第一コネクタ８５及び第二コネクタ８６のそれぞれは、外部配線との接続のための複数のピンを有するとしたが、第一コネクタ８５及び第二コネクタ８６のそれぞれの形状及び種類に特に限定はない。例えば、第一コネクタ８５または第二コネクタ８６は、外部配線の端部のコネクタが有する複数のピンが挿入される複数のピン穴を有してもよい。
【０１１３】
また、蓄電装置１０が備える蓄電素子２０の形状は角型である必要はない。蓄電素子２０の形状は、例えば、平面視において、円形、楕円形、長円形、矩形以外の多角形、または、曲線と直線とが組み合わされた形状であってもよい。いずれの場合であっても、上述の、本実施の形態に係るハーネスプレート５０による安全性の向上等の効果は奏される。
【０１１４】
また、上記実施の形態では、蓄電素子２０の電極端子（正極端子２２及び負極端子２３のそれぞれ）はボルト部を有しており、当該ボルト部がバスバー４０の貫通孔に挿入されて当該ボルト部にナットが締結されることで、蓄電素子２０の電極端子とバスバー４０とが接続されるとした。しかし、蓄電素子２０の電極端子はボルト部を有しておらず、溶接にて電極端子とバスバー４０とが接続（接合）されてもよい。また、検出端子８０と、電極端子またはバスバー４０との接合の手法も、ナットによる締結には限定されず、溶接により接合されてもよい。
【０１１５】
また、上記実施の形態及びその変形例に含まれる構成要素を任意に組み合わせて構築される形態も、本発明の範囲内に含まれる。
【０１１６】
なお、本発明は、蓄電装置１０として実現することができるだけでなく、蓄電装置１０が備える配線保持部材（実施の形態ではハーネスプレート５０）としても実現することもできる。
【産業上の利用可能性】
【０１１７】
本発明は、リチウムイオン二次電池などの蓄電素子を備えた蓄電装置に適用できる。
【符号の説明】
【０１１８】
１０  蓄電装置
１０Ａ  第一蓄電装置
１０Ｂ  第二蓄電装置
１０Ｃ  第三蓄電装置
１０Ｄ  第四蓄電装置
１０Ｅ  第五蓄電装置
１２、１３  導電部材
１２Ａ  第一導電部材
１２Ｂ  第二導電部材
１２Ｃ  第三導電部材
２０、２０Ａ〜２０Ｋ  蓄電素子
５０  ハーネスプレート
５１  第一規制部
５２  第二規制部
５４  壁部
５６ａ  第一領域
５６ｂ  第二領域
６５ａ  第一配線
６５ｂ  第二配線
８５  第一コネクタ
８５ａ、８６ａ  接続口
８６  第二コネクタ
１００、３００  蓋体
１０５  低面部
【図１】
2018156933.tif 000003
【図２】
2018156933.tif 000004
【図３】
2018156933.tif 000005
【図４Ａ】
2018156933.tif 000006
【図４Ｂ】
2018156933.tif 000007
【図５】
2018156933.tif 000008
【図６】
2018156933.tif 000009
【図７】
2018156933.tif 000010
【図８】
2018156933.tif 000011
【図９】
2018156933.tif 000012